(57)【要約】  セキュリティオブジェクトは、第１のモチーフ（６）と当該第１のモチーフ（６）に相互に配列された第２のモチーフ（７）を有するサブストレート（１）を有している。第１のモチーフ（６）は、体積ホログラム（８）によって形成されており、所定の目視条件下でのみ可視である。第２のモチーフ（７）は、例えば、色素、表面ホログラム、パーホレーション又はそれ以外の非可視又は光学的に可視のデバイスにすることができる。第１及び第２のモチーフ（６，７）は、例えば、視認性の高いテキストになるように組み合わされている。体積ホログラム（８）と第２のモチーフとによって形成された第１のモチーフ（６）の組合せにより、安全性のレベルが増大する。
2008511027.tif 000002
【特許請求の範囲】
【請求項１】
偽造防止セキュリティオブジェクトにおいて、
サブストレート（１）と、体積ホログラム（８）と、第１のモチーフ（６）と、第２のモチーフ（７）を有しており、
前記体積ホログラム（８）はサブストレート（１）に配置されており、
前記第１のモチーフ（６）は、前記体積ホログラム（８）内に蓄積されており、所定の目視条件下でのみ可視であり、
前記第２のモチーフ（７）は、前記体積ホログラム（８）の外側に蓄積されており、前記第１のモチーフ（６）と整列して設けられており、
前記目視条件下で、前記第１及び第２のモチーフ（７）は第３のモチーフ（６，７）となるように結合されていることを特徴とするオブジェクト。
【請求項２】
前記第２のモチーフ（７）は、少なくとも部分的に、前記サブストレート（１）にプリントされた色素（１０）によって形成される請求項１記載のオブジェクト。
【請求項３】
更にマトリックス（９）を有しており、前記体積ホログラム（８）は、前記マトリックス（９）内に配列され、前記第２のモチーフ（７）は、少なくとも部分的に色素（２６）によって形成されて、前記マトリックス（９）内に懸濁されているか、又は、前記マトリックス（９）に塗布されている請求項１又は２記載のオブジェクト。
【請求項４】
一致している第１のモチーフ（６）のエッジ又はラインは、第２のモチーフ（７）によって形成されたエッジ又はラインに対して同一線上に位置しているか、又は、平行である請求項１から３迄の何れか１記載のオブジェクト。
【請求項５】
前記目視条件下で、前記第１のモチーフ（６）及び前記第２のモチーフ（７）は、視認性の高いテキストになるように組み合わされている請求項１から４迄の何れか１記載のオブジェクト。
【請求項６】
前記第２のモチーフ（７）は、少なくとも部分的に、オプチカリィ・ヴァリアブル・デバイス（１２，１３；１５；１８；２０，２１）によって形成されている請求項１から５迄の何れか１記載のオブジェクト。
【請求項７】
第２のモチーフ（７）は、少なくとも部分的に、前記目視条件下で可視である請求項６記載のオブジェクト。
【請求項８】
第２のモチーフ（７）は、少なくとも部分的に、前記目視条件下で不可視である請求項６又は７記載のオブジェクト。
【請求項９】
前記第２のモチーフ（７）は、少なくとも部分的に、オプチカリィ・ヴァリアブル・ピグメントによって形成されている請求項１から８迄の何れか１記載のオブジェクト。
【請求項１０】
前記第２のモチーフ（７）は、少なくとも部分的に、表面回折格子（１５）によって形成されている請求項１から９迄の何れか１記載のオブジェクト。
【請求項１１】
前記第２のモチーフ（７）は、少なくとも部分的に、ファブリペローフィルタ（１８）によって形成されている請求項１から１０迄の何れか１記載のオブジェクト。
【請求項１２】
前記第２のモチーフ（７）は、少なくとも部分的に、前記サブストレート（１）を貫通するホール（２０，２１）によって形成されている請求項１から１１迄の何れか１記載のオブジェクト。
【請求項１３】
前記ホール（２０，２１）の少なくとも一部分は、延長されている請求項１２記載のオブジェクト。
【請求項１４】
ホールは、少なくとも部分的に、第２のモチーフ（７）と同様に第１のモチーフ（６）が可視である目視角度範囲に亘る、所定の目視角度範囲下でのみ形状が形成され（２０，２１）、前記第２のモチーフ（７）を示すように配置されている請求項１３記載のオブジェクト。
【請求項１５】
前記ホール（２０，２１）は、１５０μｍより小さな直径を有する請求項１２又は１４記載のオブジェクト。
【請求項１６】
前記体積ホログラム（８）は、少なくとも部分的に前記ホール（２０，２１）を超えて延在している請求項１２から１５迄の何れか１記載のオブジェクト。
【請求項１７】
前記体積ホログラム（８）は、前記ホール（２０，２１）を貫通する光を散乱する請求項１６記載のオブジェクト。
【請求項１８】
前記第２のモチーフ（７）は、少なくとも部分的に、サブストレート（１）に塗布された複数のマウンド（１２）及び当該各マウンド（１２）間のバレイ（１３）によって形成され、第１の目視角度（α１）から目視された場合、前記バレイ（１３）は、前記各マウンド（１２）によって隠され、従って、ほぼ不可視であり、第２の目視角度（α２）から目視された場合、前記バレイ（１３）は可視であり、前記バレイ（１３）及び前記マウンド（１２）は異なった色である請求項１から１７迄の何れか１記載のオブジェクト。
【請求項１９】
第１、第２及び第３のモチーフは、少なくとも目視条件下で、肉眼により認識される請求項１から１８迄の何れか１記載のオブジェクト。
【請求項２０】
目視条件下で、第１及び第２のモチーフ（７）は、ほぼ同じ色又はほぼ補色を有している請求項１から１９迄の何れか１記載のオブジェクト。
【発明の詳細な説明】
【技術分野】
【０００１】
技術分野
部分モチーフを形成する体積ホログラムを備えたセキュリティドキュメント
本発明は、偽造防止セキュリティオブジェクト、即ち、体積ホログラムを備えた、偽造し難いオブジェクトに関する。
【０００２】
背景技術
このタイプのセキュリティオブジェクトは、例えば、銀行券、パスポート、クレジットカード、身分証明書乃至ＩＤカード、価値のある物品用のパッケージ又はタグ、データ坦体、レターヘッド、等である。このようなオブジェクトには、偽造を困難にするために、セキュリティ特徴部が設けられることがよくある。
【０００３】
ホログラムに基づくセキュリティ特徴部は広く知られている。これらの特徴部のほとんどが表面ホログラム（即ち、わずかに１または数波長のオーダの深さしかない表面回折格子）を用いているが、このようなアプリケーションに対して「体積ホログラム（volume hologram）」も提案されている（例えばヨーロッパ特許公告第１０９１２６７号公報参照）。体積ホログラムは、可視光線の波長よりもはるかに大きな深さの格子、例えば少なくとも１０μｍの、有利には少なくとも５０μｍの深さの格子を有している。体積ホログラムは、極めて大きな回折効率を有し、高倍率の画像を形成し、また明確な回折角および波長を有する。
【０００４】
偽造技術の増大に伴って、このようなセキュリティオブジェクトをさらに改善することが望ましい。また、これらのセキュリティオブジェクトが複数の特徴を有し、これらの特徴よってこれらのセキュリティオブジェクトの検証が容易になることが望ましい。
【０００５】
発明の開示
従って、本発明の一般的な課題は、強力に偽造防止する防護手段を提供するセキュリティオブジェクトおよび／または検証の容易なセキュリティオブジェクトを提供することである。
【０００６】
本発明のこれらの課題及び更に別の課題を解決するために、本発明は、独立請求項に記載したセキュリティオブジェクトを提案する。
【０００７】
そのようなセキュリティオブジェクトは、体積ホログラム内に蓄積された第１の可視のモチーフと、このホログラムの外側に蓄積された第２の可視のモチーフを有する。この文脈での「モチーフ」とは、肉眼又は機械的に可視の何らかのシンボル、パターン、キャラクタ等のことである。
【０００８】
「ホログラムの外側」とは、体積ホログラムの屈折率又は吸収格子でエンコードされない何らかのモチーフのことであり、例えば、サブストレート上のプリント、又は、体積ホログラムを含むマトリックスの非ホログラフィックな着色のことである。
【０００９】
第１及び第２のモチーフは、整列して配置され、つまり、定義したやり方で相互に整列されている。例えば、第１のモチーフによって形成されるエッジ又はラインは、第２のモチーフによって形成されるエッジ又はラインと一致しているか、又は、同一線上にされ、又は、平行にされる。
【００１０】
第１のモチーフは、ホログラム内に蓄積されたモチーフにとつて典型的であるような、所定の視条件下の場合に限って可視である。例えば、体積ホログラムを第１の所定の角度範囲から視て、所定のスペクトル範囲内の光で第２の所定の角度範囲からホログラムを照明した場合に限って、このモチーフは可視となる。従って、視条件から外れると、第１のモチーフは、部分的に又は完全に見えなくなるか、又は、その形状又は色が変わるようにしてもよい。
【００１１】
視条件下で、第１のモチーフを視た場合に、第１のモチーフは、第２のモチーフと結合して第３のモチーフを形成するようになる。
【００１２】
このような配置構成により、第１のモチーフのプレゼンスをチェックすることができるのみならず、第１のモチーフと第２のモチーフとの関係を比較することができるようになり、ドキュメントが真正であることをチェックするために別のパラメータを設けることができるようになる。
【００１３】
特に有利な実施例では、第２のモチーフは、少なくとも部分的に、ホログラムのようなオプチカリィ・ヴァリアブル・デバイス（光学的に可変のデバイス）optically variable device (OVD)）、視角度に依存して色が変わるオプチカリィ・ヴァリアブル・ピグメント（光学的に可変のピグメント）optically variable pigment (OVP)、又は、マイクロスコピック・ホール、つまり、異なった角度で異なって見える特徴部によって形成される。この組合せにより、モチーフが非常に特徴的な特性を有するようにすることができ、それにより、このモチーフを見つけやすくなる。このことは、特に、第２のモチーフが、第１のモチーフの視条件下で少なくとも部分的に可視となる場合、又は、第２のモチーフが、第１のモチーフの視条件下で少なくとも部分的に不可視となる場合に真実であり、つまり、（どちらの場合でも）２つのモチーフは相互に作用し合うように見えるか、又は、「相互に所属し合っている（"belong together"）」ように見える。
【００１４】
図面の簡単な説明
以下、本発明について、図示の実施例を用いて詳細に説明する。その際：
図１は、ホログラム層を有するセキュリティ特徴部を有する銀行券を上から見た図、
図２は、本発明の第１の実施例の体積ホログラム及び当該体積ホログラムの周囲の断面図、
図３は、本発明の第２の実施例の体積ホログラム及び当該体積ホログラムの周囲の断面図、
図４は、本発明の第３の実施例の体積ホログラム及び当該体積ホログラムの周囲の断面図、
図５は、本発明の第４の実施例の体積ホログラム及び当該体積ホログラムの周囲の断面図、
図６は、本発明の第５の実施例の体積ホログラム及び当該体積ホログラムの周囲の断面図、
図７は、図６の実施例の平面図、
図８は、本発明の第６の実施例の体積ホログラム及び当該体積ホログラムの周囲の断面図、
図９は、可能な第１及び第２のモチーフの種々の実施例を示す図である。
【００１５】
本発明を実施するための実施形態
図１は、本発明の実施例のセキュリティオブジェクトの１実施例として、通常のように印刷された、又は、他のやり方で、セキュリティ特徴部２、イメージ３及び価値情報が印刷された、紙又はプラスチックのサブストレート１を有している銀行券を示す。
【００１６】
この実施例では、セキュリティ特徴部５は、可視のモチーフを有している。図中ハッチングパターンによって示された第１のモチーフ６は、文字’１００’の下側半部を形成し、第２のモチーフ７は、ドットパターン／形状によって文字’１００’の上側半部を示す。第１及び第２のモチーフは、相互に配列されて、組み合わされて、文字’１００’を形成するようにされている。
【００１７】
第１のモチーフ６は、図２の実施例によって示されているように、体積ホログラム８の回折格子によって形成されている。体積ホログラムは、例えば、透明又は部分的に透明なポリマーのようなマトリックス９内に配列されている。マトリックス９は、サブストレート１が透明又は部分的に透明なポリマーである場合、サブストレート１によって形成するとよい。
【００１８】
体積ホログラム８は、例えば文字’１００’の下側半部の形状を有するように、マトリックス９をカットすることによって、第１のモチーフ６を形成するように構成されており、体積ホログラム８は、マトリックス９全体に亘って延在するか、又は、体積ホログラム８の延在が、文字’１００’の下側半部の形状に限定されており、マトリックス９は、大きなサイズを有するようにしてもよい。
【００１９】
体積ホログラムを提供する適切な材料および方法は当業者には公知であり、例えば、ドイツのＸｅｔｏｓ社による世界知的所有権機関特許第０３／０３６３８９号に記載されている。
【００２０】
典型的には、モチーフ６は、ホログラム回折格子の回折条件が充足される必要があるので、所定の目視条件下でのみ可視である。例えば、拡散白色光照射により、第１のモチーフは、４０°〜１００°の目視角度下で有色イメージとして眼によって可視となり、その目視角度より外側の方向からはほぼ不可視である。
【００２１】
図２の実施例では、第２のモチーフ７は、サブストレート１上にプリントされた、又は、サブストレート１内に埋め込まれた色素又は着色によって形成される。
【００２２】
図１及び図２のドキュメントは、両モチーフ６及び７の両方が可視であり、容易に認識可能な数字’１００’を形成するような目視条件下で当該ドキュメントを見ることによって検査することができる。そのような数字が現れない場合、又は、目視条件外で数字が現れた場合、又は、モチーフ６及び７が十分に整列されていない場合、そのドキュメントは正しくない可能性がある。
【００２３】
図２から分かるように、マトリックス９は、第２のモチーフ７と、後続の実施例から明らかであるように、ホログラム８とを重畳するようにしてもよく、従って、第１のモチーフ６は、第２のモチーフ７に重畳するようにしてもよい。
【００２４】
色素１０は、通常のように、全ての目視角度から見て、同じ色を有する異方性の色素にするとよい。しかし、例えば、世界知的所有権機関特許第０２／０７３２５０号に記載されているような、オプチカリィ・ヴァリアブル・ピグメント（optically variable pigment) (OVP）を有することができる。そのようなＯＶＰ（「オプチカリィ・ヴァリアブル・インク」"optically variable ink（光学的に可変のインク）"， OVIとも呼ばれる）は、目視角度に依存して色が変わる。有利な実施例では、体積ホログラム７及び色素１０は、体積ホログラム８の所定の目視条件下で、両モチーフは、ほぼ同じ色又は補色を有している。こうすることによって、しかも、第１及び第２のモチーフ間の相互作用によって、ドキュメントに更にセキュリティ特徴部を付加することができるようになる。
【００２５】
本発明の第２の実施例は、図３に示されている。図３の実施例でも、第２のモチーフ７は、サブストレート１に被着された複数のマウンド１２によって形成されている。比較的平坦な第１の目視角度α１から見た場合、バレイ１３は、マウンド１２によって隠され、従って、ほぼ不可視であり、急峻な第２の目視角度α２から見た場合、バレイは可視となる。バレイ１３及びマウンド１２は、例えば、マウンド１２を形成するために色素を使うことによって、異なった色を有している。従って、マウンド１２及びバレイ１３は、光学的に可視のデバイスを形成し、当該デバイスの色は、米国特許第４  １２４  ９４７号明細書に記載されているように、目視角度に依存して変化する。
【００２６】
図３の体積ホログラム８及び光学的に可視のデバイス１２，１３は、ユーザが異なった角度下でドキュメントを目視した場合に相互に作用し、両方とも特徴的な仕方で当該体積ホログラム８及び光学的に可視のデバイス１２，１３の色が変わる。２つのモチーフの変化の仕方を比較することによって、見ている人は、これら２つのモチーフが異なった技術に基づいているということを認識することができ、それにより、更にセキュリティ特徴部をドキュメントに付加することができるようになる。
【００２７】
本発明の別の実施例が、図４に記載されている。ここでは、第２のモチーフ７は、表面ホログラムによって形成されており、乃至、つまり、例えば、金属箔１６の上に形成された表面回折格子１５によって形成されている。回折格子１５は、当業者には公知のように、透明保護膜（図示していない）によって被覆するとよい。
【００２８】
図４の体積ホログラム８及び表面格子１５は、ユーザが異なった角度でドキュメントを見た場合に再び干渉し、体積ホログラム８も表面格子１５も、色及び／又は可視のモチーフが特徴的な仕方で変化する。２つのモチーフの変化の仕方を比較することによって、見ている人は、これら２つのモチーフが異なった技術に基づいているということを認識することができ、それにより、更にセキュリティ特徴部をドキュメントに付加することができるようになる。
【００２９】
ホログラム８及び表面格子１５は、相互に並んで配置されているようにするか（図４に示されているように）、又は、部分的又は完全に重畳しているようにしてもよい。
【００３０】
図５には、別の実施例が示されている。この実施例では、第２のモチーフ７は、坦体１９の上側にファブリ−ペロフィルタを形成する多層コーティング１８によって形成されている。ファブリ−ペロフィルタは、各界面間で１つ以上の光学共振器を形成する部分的又は完全に透明の１つ以上の薄膜の集成体である。そのようなファブリ−ペロフィルタは、視角度に依存して、オプチカリィ・ヴァリアブル・ピグメントと同様に、色を変える。
【００３１】
ファブリ−ペロフィルタ１８は、例えば、第２のモチーフ７を形成するように、文字の半分の形状にカットされるようにして構造が形成されている。
【００３２】
この場合でも、図５の実施例の２つのモチーフ６，７の光学的な性質を比較することによって、紙幣の更に別のセキュリティアスペクトが提供される。
【００３３】
図５の実施例のモチーフ６，７は、この場合でも、重畳していないか、部分的に重畳しているか、又は、完全に重畳しているようにすることができる。
【００３４】
それ以外の有利な実施例は、図６及び７に示されている。図６及び７でも、第２のモチーフ７は、サブストレート１を貫通しているホール２０，２１によって形成され、このホールは、サブストレートの厚みに比肩し得る直径又はサブストレートの厚みよりも小さな直径を有している。図示の実施例では、ホール６及び７は、世界知的所有権機関特許第０４／０１１２７４号に記載されているように、視角度に依存して異なったパターンを形成するように延在されている。典型的な紙のサブストレートに強く作用するためには、ホールの最大直径は、有利には、１５０μｍを超過しないようにする必要がある。
【００３５】
有利には、ホール２０，２１は、斜めの角度で見た場合に限って、第２のモチーフ７が現れるような形状にされ、体積ホログラム８の視条件は、同様の斜めの角度で、第１のモチーフ６が可視であって、それによって、ユーザに、ドキュメントの正当性を極めて強く指示する点にある。
【００３６】
一般的に、ホール２０，２１は、有利には、所定の視角度範囲内でのみ第２のモチーフ７を示すように形状が形成されて配置されており、視角度範囲の少なくとも一部分に亘って、第１のモチーフ６も同様に可視である。
【００３７】
図７に示されているように、体積ホログラム８は、ホール２０，２１の少なくとも幾つかをカバーしていることがある。
【００３８】
体積ホログラムは、ホール２０，２１を通して光を散乱するようにされている。ユーザが、ホール２０，２１を通して光を視る場合、ユーザは、特定の角度で放射された単一の色又は光のように、回折効果を見ることができ、それにより、更に、ドキュメントのセキュリティが強化される。
【００３９】
更に別の有利な実施例は、図８に示されており、この実施例では、体積ホログラム８を保持したマトリックス９は、ドットパターン２６によって示されているように、局所的に着色されている。この実施例は、図２の実施例に似ているが、色素２６はマトリックス９内に懸濁されている。同様に、色素２６を、マトリックス９の表面に塗布してもよい。このデザインにすると、有利に、第１及び第２のモチーフ６，７を両方とも、マトリックス９上のサブストレート１から切り離して形成することができるようになる。
【００４０】
図示の各実施例では、第１及び第２のモチーフ６，７は、各々視認性の高いテキスト’１００’の下半分又は上半分を示す。図９は、そのような組合せモチーフ３０を、別のように組み合わされた可能なモチーフ３１−３３の例と一緒に示す。
【００４１】
組み合わされたモチーフ３１では、第１及び第２のモチーフ６，７は、視認性の高いテキスト、つまり、テキスト"varid"を形成するように組み合わされている。第１のモチーフ６は、偶数の文字を形成し、第２のモチーフ７は、テキストの奇数の文字を形成する。
【００４２】
組み合わされたモチーフ３２では、第１及び第２のモチーフは各々、ラインセグメントを形成し、両方のタイプのラインセグメントは、視条件下で視た場合にほぼ連続的なラインを形成するように同一線上に配置されている。
【００４３】
組み合わされたモチーフ３３では、第１のモチーフ６は、四角形を形成し、第２のモチーフ７は、四角形のエッジに隣接した２本のラインを形成する。これらの例は全て、第１及び第２のモチーフ６，７を組み合わせて第３のモチーフを形成するやり方が簡単に分かるように示したものである。
【００４４】
上述のように、本発明は、銀行券、小切手又は他の有価公文書乃至ドキュメント又はパスポート、クレジットカード、ＩＤカードのような広範なオブジェクトで、また、偽造し難いようにする必要がある高品質商業通信用紙又は他のオブジェクトでもセキュリティ機能を備えたセキュリティ特徴部として使うことができる。
【００４５】
本願明細書では、本発明について、有利な図示の実施例を用いて説明してきたが、本発明は、これら図示の実施例に限定されるものではなく、特許請求の範囲内で種々異なって実施することができる。
【図面の簡単な説明】
【００４６】
【図１】ホログラム層を有するセキュリティ特徴部を有する銀行券を上から見た図
【図２】本発明の第１の実施例の体積ホログラム及び当該体積ホログラムの周囲の断面図
【図３】本発明の第２の実施例の体積ホログラム及び当該体積ホログラムの周囲の断面図
【図４】本発明の第３の実施例の体積ホログラム及び当該体積ホログラムの周囲の断面図
【図５】本発明の第４の実施例の体積ホログラム及び当該体積ホログラムの周囲の断面図
【図６】本発明の第５の実施例の体積ホログラム及び当該体積ホログラムの周囲の断面図
【図７】図６の実施例の平面図
【図８】本発明の第６の実施例の体積ホログラム及び当該体積ホログラムの周囲の断面図
【図９】可能な第１及び第２のモチーフの種々の実施例を示す図
【図１】
2008511027.tif 000003
【図２】
2008511027.tif 000004
【図３】
2008511027.tif 000005
【図４】
2008511027.tif 000006
【図５】
2008511027.tif 000007
【図６】
2008511027.tif 000008
【図７】
2008511027.tif 000009
【図８】
2008511027.tif 000010
【図９】
2008511027.tif 000011
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
偽造防止セキュリティオブジェクトにおいて、
サブストレート（１）と、体積ホログラム（８）と、第１のモチーフ（６）と、第２のモチーフ（７）を有しており、
体積ホログラム（８）はサブストレート（１）に配置されており、
前記第１のモチーフ（６）は、前記体積ホログラム（８）内に蓄積されており、所定の目視条件下でのみ可視であり、
前記第２のモチーフ（７）は、前記体積ホログラム（８）の外側に蓄積されており、前記第１のモチーフ（６）と整列して設けられており、
前記目視条件下で、前記第１及び第２のモチーフ（７）は第３のモチーフ（６，７）となるように結合されており、前記第２のモチーフ（７）は、少なくとも部分的に、オプチカリィ・ヴァリアブル・デバイス（１２，１３；１５；１８；２０，２１）によって形成されていることを特徴とするオブジェクト。
【請求項２】
前記第２のモチーフ（７）は、少なくとも部分的に、前記サブストレート（１）にプリントされた色素（１０）によって形成される請求項１記載のオブジェクト。
【請求項３】
更にマトリックス（９）を有しており、前記体積ホログラム（８）は、前記マトリックス（９）内に配列され、前記第２のモチーフ（７）は、少なくとも部分的に色素（２６）によって形成されて、前記マトリックス（９）内に懸濁されているか、又は、前記マトリックス（９）に塗布されている請求項１又は２記載のオブジェクト。
【請求項４】
一致している第１のモチーフ（６）のエッジ又はラインは、第２のモチーフ（７）によって形成されたエッジ又はラインに対して同一線上に位置しているか、又は、平行である請求項１から３迄の何れか１記載のオブジェクト。
【請求項５】
前記目視条件下で、前記第１のモチーフ（６）及び前記第２のモチーフ（７）は、視認性の高いテキストになるように組み合わされている請求項１から４迄の何れか１記載のオブジェクト。
【請求項６】
第２のモチーフ（７）は、少なくとも部分的に、前記目視条件下で可視である請求項１から５迄の何れか１記載のオブジェクト。
【請求項７】
第２のモチーフ（７）は、少なくとも部分的に、前記目視条件下で不可視である請求項１から６迄の何れか１記載のオブジェクト。
【請求項８】
前記第２のモチーフ（７）は、少なくとも部分的に、オプチカリィ・ヴァリアブル・ピグメントによって形成されている請求項１から７迄の何れか１記載のオブジェクト。
【請求項９】
前記第２のモチーフ（７）は、少なくとも部分的に、表面回折格子（１５）によって形成されている請求項１から８迄の何れか１記載のオブジェクト。
【請求項１０】
前記第２のモチーフ（７）は、少なくとも部分的に、ファブリペローフィルタ（１８）によって形成されている請求項１から９迄の何れか１記載のオブジェクト。
【請求項１１】
前記第２のモチーフ（７）は、少なくとも部分的に、前記サブストレート（１）を貫通するホール（２０，２１）によって形成されている請求項１から１０迄の何れか１記載のオブジェクト。
【請求項１２】
前記ホール（２０，２１）の少なくとも一部分は、延長されている請求項１１記載のオブジェクト。
【請求項１３】
ホールは、少なくとも部分的に、第２のモチーフ（７）と同様に第１のモチーフ（６）が可視である目視角度範囲に亘る、所定の目視角度範囲下でのみ形状が形成され（２０，２１）、前記第２のモチーフ（７）を示すように配置されている請求項１２記載のオブジェクト。
【請求項１４】
前記ホール（２０，２１）は、１５０μｍより小さな直径を有する請求項１１から１３迄の何れか１記載のオブジェクト。
【請求項１５】
前記体積ホログラム（８）は、少なくとも部分的に前記ホール（２０，２１）を超えて延在している請求項１１から１４迄の何れか１記載のオブジェクト。
【請求項１６】
前記体積ホログラム（８）は、前記ホール（２０，２１）を貫通する光を散乱する請求項１５記載のオブジェクト。
【請求項１７】
前記第２のモチーフ（７）は、少なくとも部分的に、サブストレート（１）に塗布された複数のマウンド（１２）及び当該各マウンド（１２）間のバレイ（１３）によって形成され、第１の目視角度（α１）から目視された場合、前記バレイ（１３）は、前記各マウンド（１２）によって隠され、従って、ほぼ不可視であり、第２の目視角度（α２）から目視された場合、前記バレイ（１３）は可視であり、前記バレイ（１３）及び前記マウンド（１２）は異なった色である請求項１から１６迄の何れか１記載のオブジェクト。
【請求項１８】
第１、第２及び第３のモチーフは、少なくとも目視条件下で、肉眼により認識される請求項１から１７迄の何れか１記載のオブジェクト。
【請求項１９】
目視条件下で、第１及び第２のモチーフ（７）は、ほぼ同じ色又はほぼ補色を有している請求項１から１８迄の何れか１記載のオブジェクト。
【国際調査報告】
2008511027.tif 000012
2008511027.tif 000013
2008511027.tif 000014
2008511027.tif 000015